【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
コンピュータに格納されているアプリケーションデータファイルのファイルメタデータを表示し取り込むためのシステムが提供され；前記コンピュータはプロセッサとメモリとを含み；前記メモリは、コンピュータの動作を管理するためのオペレーティングシステムを記憶し；前記メモリはさらにオペレーティングシステムのカーネルを記憶し；前記コンピュータは、オペレーティングシステムの制御下でプロセッサによって実行されたときに前記アプリケーションデータファイルを処理するユーザとやりとりするための、前記コンピュータにインストールされたユーザインタフェースおよび少なくとも１つのインストールされたアプリケーションをさらに含み、；前記インストールされたアプリケーションはインストールされたままではカスタムされたメタデータを前記ファイルに取り込む機能を有さず；前記システムは、
ａ．前記コンピュータにインストールされたファイルシステムメタデータフィルタドライバであって、前記オペレーティングシステムの前記カーネルは、前記インストールされたアプリケーションが前記アプリケーションデータファイルにアクセスするときに前記ファイルシステムメタデータフィルタドライバに信号を送る、ファイルシステムメタデータフィルタドライバと、
ｂ．前記インストールされたアプリケーションを実行するためのアプリケーションプロセスが作成されたときにシステムが前記インストールされたアプリケーションに注入する、インストールされたままの前記インストールされたアプリケーションとは独立した少なくとも１つのメタデータアプリケーションスレッドであって、前記インストールされたアプリケーションによって作成されたメッセージを取り扱い、前記インストールされたアプリケーションのユーザインターフェースを変更して前記インストールされたアプリケーションのインストールされたアプリケーションファイルメタデータに関する情報を表示する、少なくとも１つのメタデータアプリケーションスレッドと、
ｃ．前記メモリは、前記アプリケーションファイルメタデータを格納するメタデータストレージを含み、ここから前記少なくとも１つのメタデータアプリケーションスレッドは前記ファイルメタデータを読み取り、ここに前記少なくとも１つのメタデータアプリケーションスレッドは前記インストールされたアプリケーションファイルメタデータを書き込み、
ｄ．前記コンピュータ上で動作するメタデータマネージャであって、前記少なくとも１つのアプリケーションデータファイルがアクセスされると前記ファイルシステムメタデータフィルタドライバは前記メタデータマネージャに信号を送り、これによって前記メタデータアプリケーションスレッドが、前記アプリケーションデータファイルにアクセスしている前記インストールされたアプリケーションの一つに適切なメタデータアプリケーションスレッドに通知する、メタデータマネージャと、
を含むことを特徴とするシステム。
【請求項２】
前記システムの動作を制御する構成情報を含む、請求項１に記載のシステム。
【請求項３】
前記システムが動作するコンピュータアプリケーションの候補を含む、前記システムの動作を制御する前記システム構成情報をさらに含む、請求項２に記載のシステム。
【請求項４】
前記ファイルが前記インストールされたアプリケーション内に保存されるときに、前記システムが、前記インストールされたアプリケーションを修正して前記ユーザから前記アプリケーションデータファイルの前記ファイルメタデータを取り込む、請求項１に記載のシステム。
【請求項５】
前記システムが、前記少なくとも１つのインストールされたアプリケーションの前記ユーザインターフェースを修正して、前記ユーザが前記アプリケーションデータファイルに適切なメタデータを設定できるようにする、請求項１乃至４のいずれかに記載のシステム。
【請求項６】
前記システムは、前記インストールされたアプリケーションファイルメタデータを表示するために、前記インストールされたアプリケーションの前記ユーザインターフェースに表示されるタイトルバーを修正する、請求項１乃至５のいずれかに記載のシステム。
【請求項７】
前記システムは、前記インストールされたアプリケーションのユーザインターフェースのクライアントウィンドウに前記ファイルメタデータを表示するように前記アプリケーションを修正することを特徴とする請求項１乃至６のいずれかに記載のシステム。
【請求項８】
前記システムは、前記アプリケーションデータファイルが印刷されるときに前記ファイルメタデータを印刷物上にオーバーレイするように前記インストールされたアプリケーションを修正する、請求項１乃至７のいずれかに記載のシステム。
【請求項９】
前記オペレーティングシステムが、Ｍｉｃｒｏｓｏｆｔ  Ｗｉｎｄｏｗｓ、またはＡｐｐｌｅ  ＯＳＸ、ＦｒｅｅＢＳＤまたはＯｐｅｎＢＳＤなどのＢＳＤ由来のオペレーティングシステム、Ｌｉｎｕｘ、またはファイルのアクセス時に通知され得る追加のソフトウェアコンポーネントを可能にする他のオペレーティングシステムである、請求項１乃至８のいずれかに記載のシステム。
【請求項１０】
前記アプリケーションは、マイクロソフトのｎｏｔｅｐａｄ．ｅｘｅ、またはテキストファイルを開き、表示し、編集し、保存することができる他の何らかのアプリケーションである、請求項１乃至９のいずれかに記載のシステム。
【請求項１１】
前記アプリケーションは、マイクロソフト社のｐａｉｎｔｂｒｕｓｈ．ｅｘｅ、または画像ファイルを開き、表示し、編集し、そして保存することができる他の種類のアプリケーションである、請求項１乃至１０のいずれかに記載のシステム。
【請求項１２】
前記アプリケーションは、Ｍｉｃｒｏｓｏｆｔ  Ｗｏｒｄ．ｅｘｅ、ＯｐｅｎＯｆｆｉｃｅ、ＬｉｂｒｅＯｆｆｉｃｅ、Ａｄｏｂｅ  ＰａｇｅＭａｋｅｒ、ＷＰＳ  Ｏｆｆｉｃｅ、または文書ファイルを開く、表示する、編集する、および保存することができる他の種類のアプリケーションである、請求項１乃至１１のいずれかに記載のシステム。
【請求項１３】
前記インストールされたアプリケーションは、Ｗｉｎｄｏｗｓ  Ｍｅｄｉａ  Ｐｌａｙｅｒまたはオーディオファイルを再生する他のタイプのアプリケーションであり、前記システムは、前記インストールされたアプリケーションを修正して前記オーディオファイルの再生の前、最中および／または後に前記オーディオファイルのメタデータに関連するオーディオキューを再生する、請求項１乃至１２のいずれかに記載のシステム。
【請求項１４】
前記アプリケーションは、Ｗｉｎｄｏｗｓメディアプレーヤーのようなビデオファイルを再生し、前記システムは、前記ファイルの再生の前、最中および／または後に、前記ファイルのメタデータに関連するビデオおよび／またはオーディオキューを再生するように前記アプリケーションを修正する、請求項１乃至１３のいずれかに記載のシステム。
【請求項１５】
前記システムは、ビデオ再生中に前記アプリケーションのクライアント領域に前記メタデータを表示するように前記アプリケーションを修正することを特徴とする請求項１ないし１４のいずれかに記載のシステム。
【請求項１６】
前記アプリケーションは、Ｗｉｎｄｏｗｓ  Ｆｉｌｅ  Ｅｘｐｌｏｒｅｒのようなシステムアプリケーション、またはファイルをコピー、移動、削除、リネーム、更新または作成のようなファイル管理機能を前記ユーザに提供する他のシステムまたはサードパーティアプリケーションである、請求項１乃至１５のいずれかに記載のシステム。
【請求項１７】
前記アプリケーションは、インターネットまたはイントラネットのようなコンピュータネットワークから情報を検索し、提示し、そしてトラバースするための、インターネットエクスプローラ、サファリ、クローム、ファイアフォックス、または他の何らかのソフトウェアアプリケーションのようなウェブブラウザである請求項１乃至１６のいずれかに記載のシステム。
【請求項１８】
前記ファイルメタデータはセキュリティ分類情報である、請求項１乃至１７のいずれかに記載のシステム。
【請求項１９】
前記ファイルシステムメタデータフィルタドライバは、Ｗｉｎｄｏｗｓのミニフィルタドライバ、またはＭａｘＯＳＸリスナ、またはコンピュータがファイルを読み書きするときを観察する何らかの追加のオペレーティングシステムカーネルコンポーネントである、請求項１乃至１８のいずれかに記載のシステム。
【請求項２０】
前記メタデータストレージは、Ｍｉｃｒｏｓｏｆｔの代替データストリーム（ＡＤＳ）などの前記コンピュータのファイルシステムの一部、または何らかの形式の拡張ファイル属性であり、それによってファイルシステムはファイルをファイルメタデータに関連付けることができる、請求項１乃至１９のいずれかに記載のシステム。